(57)【要約】【課題】握りやすい把手部で運搬性の良い電気掃除機を提供する。【解決手段】本体外郭の一部に設けられ少なくとも一部に丸みを施した凹部６と、前記凹部６の上方に配設した把手部１０とを備え、前記凹部６の丸みは、前記把手部１０に対向する位置を境にして、一方側から形成する丸み２１と、他方側から形成する丸み２２との形状を異ならせて形成したもので、小さな丸み側には指が挿入できる空間さえ形成すればよく、また、大きな丸み側には手を挿入する空間を形成できるため、掃除機本体内部に干渉する凹部を最低限に抑えることができ、掃除機本体を必要以上に大きくすることなく運搬性を良好にできる。【選択図】図４
2005230228.tif 000002
【特許請求の範囲】
【請求項１】
本体外郭の一部に設けられ少なくとも一部に丸みを施した凹部と、前記凹部の上方に配設した把手部とを備え、前記凹部の丸みは、前記把手部に対向する位置を境にして、一方側から形成する丸みと、他方側から形成する丸みとの形状を異ならせて形成した電気掃除機。
【請求項２】
把手部を、本体の上方に設けた請求項１記載の電気掃除機。
【請求項３】
把手部を、凹部の上方で略中央位置に設けた請求項１または２記載の電気掃除機。
【請求項４】
把手部を、凹部の上方で略中央より偏した位置に設けるとともに、前記把手部に近い側の丸みの半径を小さく、遠い側の丸みを大きくした請求項１または２記載の電気掃除機。
【請求項５】
把手部を、凹部の上方で略中央より、本体前方側に設けた請求項４記載の電気掃除機。
【請求項６】
把手部を、その長手方向を本体左右方向に合わせて設けた請求項１〜５のいずれか１項に記載の電気掃除機。
【請求項７】
把手部及び凹部を設けた本体外郭部品を備え、前記本体外郭部品を本体に対して回転自在に構成した請求項１〜６のいずれか１項に記載の電気掃除機。
【発明の詳細な説明】
【技術分野】
【０００１】
本発明は本体を運搬できる電気掃除機に関するものである。
【背景技術】
【０００２】
従来のこの種の電気掃除機は図９のように、本体外郭の一部に凹部５１を設け、その対向する位置に把手部４８を設け、前記本体外郭部品の凹部５１の奥隅に設けたＲ部の一部で、前記把手部４８と直交もしくはほぼ直交する方向で前記把手部４８を対象に位置した隅Ｒ部５２と５３を、同じ大きさに設けていた(例えば、特許文献１参照)。
【特許文献１】特開平６−２９２６４８号公報
【発明の開示】
【発明が解決しようとする課題】
【０００３】
しかしながら、上記従来の構成では、隅Ｒ部の半径を大きくすると手が入りにくくなることから、凹部を深く取る必要があり、掃除機本体そのものが大きくなってしまい、運搬性が悪くなることがあった。また、反対に隅Ｒ部の半径を小さくしても凹部そのものが大きくなり、結果、掃除機本体が大きくなってしまい、運搬性が悪くなることがあった。
【０００４】
本発明は上記課題を解決するもので、握りやすい把手部で運搬性の良い電気掃除機を提供することを目的とするものである。
【課題を解決するための手段】
【０００５】
上記従来の課題を解決するために本発明は、本体外郭の一部に設けられ少なくとも一部に丸みを施した凹部と、前記凹部の上方に配設した把手部とを備え、前記凹部の丸みは、前記把手部に対向する位置を境にして、一方側から形成する丸みと、他方側から形成する丸みとの形状を異ならせて形成したもので、小さな丸み側には指が挿入できる空間さえ形成すればよく、また、大きな丸み側には手を挿入する空間を形成できるため、掃除機本体内部に干渉する凹部を最低限に抑えることができ、掃除機本体を必要以上に大きくすることなく運搬性を良好にできる。
【発明の効果】
【０００６】
本発明は、握りやすい把手部で運搬性の良い電気掃除機を提供することができる。
【発明を実施するための最良の形態】
【０００７】
第１の発明は、本体外郭の一部に設けられ少なくとも一部に丸みを施した凹部と、前記凹部の上方に配設した把手部とを備え、前記凹部の丸みは、前記把手部に対向する位置を境にして、一方側から形成する丸みと、他方側から形成する丸みとの形状を異ならせて形成したもので、小さな丸み側には指が挿入できる空間さえ形成すればよく、また、大きな丸み側には手を挿入する空間を形成できるため、掃除機本体内部に干渉する凹部を最低限に抑えることができ、掃除機本体を必要以上に大きくすることなく運搬性を良好にできる。
【０００８】
第２の発明は、把手部を、本体の上方に設けたもので、把手部を上方から確認できることから容易に掃除機本体を持ち上げ、運搬することができる。
【０００９】
第３の発明は、把手部を、凹部の上方で略中央位置に設けたもので、通常は隅Ｒ部の大きい側から手を入れ、隅Ｒ部の小さい側に指の関節が入る空間が大きく、持ちやすくなるとともに、手の小さな使用者には丸みの大小にかかわらずどちらからも手を入れることができる。
【００１０】
第４の発明は、把手部を、凹部の上方で略中央より偏した位置に設けるとともに、前記把手部に近い側の丸みの半径を小さく、遠い側の丸みを大きくしたで、丸みの大きい側から手をより入れやすくし、掃除機本体を楽に持つことができる。また、掃除機本体の重心により近い位置に把手部を設けることができることからも、掃除機本体を楽に持つことができる。
【００１１】
第５の発明は、把手部を、凹部の上方で略中央より、本体前方側に設けたもので、本体の後方より手を挿入しやすくするとともに、重心により近い位置に把手部を設けることができ、楽に掃除機本体を持つことができる。
【００１２】
第６の発明は、把手部を、その長手方向を本体左右方向に合わせて設けたもので、把手部を集塵室とモーター室を前後に設ける掃除機本体では、その前後方向の重心により近い位置に把手部を設けることができ、楽に掃除機本体を持つことができる。
【００１３】
第７の発明は、把手部及び凹部を設けた本体外郭部品を備え、前記本体外郭部品を本体に対して回転自在に構成したもので、使用者の持ちやすい角度で把手部を握り、掃除機本体を楽に持つことができる。
【００１４】
以下、本発明の実施の形態について、図面を参照しながら説明する。なお、この実施の形態によりこの発明が限定されるものではない。
【００１５】
（実施の形態１）
本発明の第１の実施の形態について、図１〜図５を用いて説明する。
【００１６】
図において、１は電気掃除機本体で、この電気掃除機本体１の主な外郭部品として下本体２、集塵室蓋３、上本体４、把手部台５を設ける。ここで上本体４はその上部に縦断面略半円形状の凹部６を設け、この凹部６外周には、凹部６の中央から後方において断面略Ｕ字形の溝部７を設け、また凹部６の中央から前方は、上本体４前端にかけて前記溝部７につながる平面８を設ける。
【００１７】
上本体４の前端の略垂直壁には、２個の略円柱形の突起部８を設ける。前記把手部台５は、略中央に前記凹部６外径とほぼ同じ径の穴を有する基台９と略円弧状の把手部１０を一体としたもので、基台９はその後方に、前記溝部７を上部より塞ぎ、本体外郭表面となる高さを有した略Ｕ字形状を有し、前方には後方形状同様、本体外郭表面となる高さを有した略Ｕ字形状を有し、その前端には略垂直下方に壁１１を設け、この壁には前記突起部８を内方に係合する穴部１２を設ける。
【００１８】
一方略円弧形状の把手部１０両端は、杷手部が前記凹部６の略中心に位置するように、本体外郭部品である前記基台９と一体化することで、把手部１０を本体外郭表面より突出した形状とし、一体化した把手部台５のビス１３締結用のボス１４を、前記溝部７底面に当接する長さに設ける。上本体の溝部７底面には、このボス１４と同位置にビス用穴１５を設ける。前記凹部６の隅Ｒ部について、前記杷手部１０を対象に一方側から形成する隅Ｒ部２１（丸み）の半径を小さく、他方側から形成する隅Ｒ部２２（丸み）の半径を大きくして形成し、それらを接続するＲ部（丸み）の半径の大きさは徐々に変化するように設ける。
【００１９】
以上のように構成された電気掃除機において図１〜図５を用いて、その動作を説明する。
【００２０】
把手部台５を上本体４に固定する際は、凹部６の外周に把手部台５の基台９の穴を合わせると共に、前記ボス１４位置を前記ビス用穴１５の位置に合わせるように、把手部台５を上方から上本体４にのせる。
【００２１】
このとき前記穴部１２は前記突起部８とほぼ同位置にあるので、ゆっくりと前記前壁に力を加えて突起部８を穴部１２に係合させる。そして上本体４内方からビス１３を、前記ビス用穴１５を通して、前記ボス部１４にて締結する。
【００２２】
このことから掃除機本体１を運搬する際に手の入る空間は、凹部６と杷手部１０の間で設けられることになる。また、手は隅Ｒ部２２側から挿入するのを基本とする。
【００２３】
これにより半径の小さなＲ部（丸み）を設けた隅Ｒ部２１側は、指のみを入れる空間を保てばよいため、掃除機上本体４内部に干渉する凹部を最低限に抑えることができ、掃除機本体１を必要以上に大きくすることなく運搬性を良好にできる。
【００２４】
また、把手部１０に対向する位置を境にして、凹部６の丸みの大きさ（半径の大きさ）を異なる大きさにすることで、掃除機本体１を持つときに、手を挿入する側に空間を大きく設けられ、楽に持つことができる。
【００２５】
（実施の形態２）
本発明の第２の実施の形態について図６〜図７をもとに説明する。なお、上記実施の形態と同一部分については同一符号を付してその説明を省略する。
【００２６】
本実施の形態は、上本体４の上部に設けた縦断面略半円形状の凹部６の略中央より掃除機前方にやや偏した位置（上本体４の前方側）に杷手部１０を設け、凹部６の隅Ｒ部（丸み）は把手部１０に近い側に半径の小さいＲ部２１（丸み）、遠い側に半径の大きいＲ部２２（丸み）を設ける。
【００２７】
この構成により、大きい隅Ｒ部２２の側から手をより入れやすくし、掃除機本体１を楽に持つことができる。
【００２８】
また、掃除機本体１の重心により近い位置に杷手部１０を設けることができることからも、掃除機本体１を楽に持つことができる。
【００２９】
（実施の形態３）
本発明の第３の実施の形態について図８を用いて説明する。なお、上記実施の形態と同一部分については同一符号を付してその説明を省略する。
【００３０】
本実施の形態は、掃除機の上本体４の上面略中央部に円形の穴部２３を設け、この穴部２３の径よりやや小さい径の外径を有し、その内方に凹部６を設けた本体外郭部品２４を設ける。
【００３１】
また、この本体外郭部品２４上方で、かつ、前記凹部６の上方に位置するように把手部１０に設けるとともに、前記本体外郭部品２４の外周に複数のツメ部２５を設け、このツメ部２５が前記穴部２３の内壁部２６に係止することで、前記本体外郭部品２４及び把手部１０が、前記上本体４に対して回転自在になるように設ける。
【００３２】
以上の構成により、使用者は把手部１０を持って回すことで、同時に本体外郭部品を回すことができ、持ちやすい角度で掃除機本体１を楽に持つことができる。
【産業上の利用可能性】
【００３３】
以上のように、本発明にかかる電気掃除機は、握りやすい把手部で運搬性の良いものであるため、運搬が必要な掃除機に特に有用である。
【図面の簡単な説明】
【００３４】
【図１】本発明の実施の形態１を示す上本体及び把手部の上方斜視図
【図２】同把手部の下方斜視図
【図３】同電気掃除機の側面図
【図４】同上本体及び把手部の断面図
【図５】同電気掃除機の平面図
【図６】本発明の実施の形態２を示す上本体及び把手部の断面図
【図７】同電気掃除機の平面図
【図８】本発明の実施の形態３を示す上本体、本体外郭部品及び把手部の断面図
【図９】従来の把手部及び凹部部の構成の断面図
【符号の説明】
【００３５】
４  上本体
６  凹部
７  溝部
９  基台
１０  把手部
２１  隅Ｒ部(小)
２２  隅Ｒ部(大)
【図１】
2005230228.tif 000003
【図２】
2005230228.tif 000004
【図３】
2005230228.tif 000005
【図４】
2005230228.tif 000006
【図５】
2005230228.tif 000007
【図６】
2005230228.tif 000008
【図７】
2005230228.tif 000009
【図８】
2005230228.tif 000010
【図９】
2005230228.tif 000011